【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
プリンタであって、前記プリンタは、
前記プリンタを通るように媒体を動かして、前記媒体上にインク画像を形成するよう構成される媒体搬送部と、
３つの直線配置された差し込み口を有する第１の部材と、
３つの直線配置された差し込み口を有する第２の部材と、
第１のロッド、第２のロッド、および第３のロッドとを備え、各ロッドは、第１の端および第２の端を有し、各ロッドの前記第１の端は、１対１に対応する前記第１の部材内の前記差し込み口の１つの中に位置づけられ、各ロッドの前記第２の端は、１対１に対応する前記第２の部材内の前記差し込み口の１つの中に位置づけられ、前記第１、前記第２、および前記第３のロッドが、前記第１の部材から前記第２の部材に互いに平行に伸びることを可能にし、
前記プリンタはさらに、第１のフレームを備え、前記第１のフレームは、周辺部、前記第１のフレームの第１の側部から伸びるフランジのペア、および前記第１のフレームの第２の側部から伸びる第３のフランジを有し、前記第１のフレームの前記第２の側部は、前記第１のフレームの前記第１の側部と反対側であり、各フランジは、前記フランジ内に穴を有する前記第１のフレームから伸び、前記第１のロッドは、前記第１のフレームのフランジの前記ペア内の穴を通り、前記第２のロッドは、前記第１のフレームの前記第３のフランジ内の前記穴を通り、
前記プリンタはさらに、第２のフレームを備え、前記第２のフレームは、周辺部、前記第２のフレームの第１の側部から伸びるフランジのペア、および前記第２のフレームの第２の側部から伸びる第３のフランジを有し、前記第２のフレームの前記第２の側部は、前記第２のフレームの前記第１の側部と反対側であり、各フランジは、前記フランジ内に穴を有する前記第２のフレームから伸び、前記第３のロッドは、前記第２のフレームの前記第３のフランジ内の前記穴を通り、前記第２のロッドは、前記第２のフレームのフランジの前記ペア内の前記穴を通り、
前記プリンタはさらに、前記第１のフレーム内に取り付けられる第１のプリントヘッドと、
前記第２のフレーム内に取り付けられる第２のプリントヘッドと、
前記第１のプリントヘッドおよび前記第２のプリントヘッドに動作可能に接続される制御器とを備え、前記制御器は、前記第１のプリントヘッドおよび前記第２のプリントヘッドを動作させて、前記媒体に対して前記インク画像を形成するよう構成される、プリンタ。
【請求項２】
前記第１のフレームから伸びる前記第３のフランジが、前記第２のフレームから伸びる前記フランジの前記ペア内の一方のフランジに隣接し、前記第１のプリントヘッド内のインクジェットを、前記第２のプリントヘッド内のインクジェットから、前記第１のプリントヘッド内の前記インクジェット間の距離より短い距離でオフセットする、請求項１に記載のプリンタ。
【請求項３】
前記第１のフレームから伸びる前記第３のフランジは、前記第２のフレームから伸びるフランジの前記ペア内の各フランジから等距離であり、前記第１のプリントヘッド内のインクジェットを、前記第２のプリントヘッド内のインクジェットと整列させる、請求項１に記載のプリンタ。
【請求項４】
前記第１のフレームおよび前記第２のフレームの各フランジ内の各穴内にスロット付きブッシングをさらに備える、請求項１に記載のプリンタ。
【請求項５】
開口部を有する第１のプレートと、開口部を有する第２のプレートとをさらに備え、前記第１のプリントヘッドが、前記第１のプレートの前記開口部に取り付けられ、前記第１のプレートが、前記第１のフレームの前記周辺部内に取り付けられ、前記第２のプリントヘッドが、前記第２のプレートの前記開口部に取り付けられ、前記第２のプレートが、前記第２のフレームの前記周辺部内に取り付けられる、請求項１に記載のプリンタ。
【請求項６】
各フレームは、複数の鋼パッドをさらに備え、各プレートは、前記プレートを通って伸びて、１対１に対応するプレートを位置づける前記フレームの前記複数の鋼パッドを係合する複数のネジ切り部材をさらに備え、ネジは、前記プレートが、前記プレートが配置される前記フレームの前記周辺部に対して水平になることを可能にする、請求項５に記載のプリンタ。
【請求項７】
前記第１のプレートに取り付けるよう構成され、さらに前記第１のフレームの前記周辺部に前記第１のプレートを付勢するよう前記第１のフレームに取り付けるよう構成される第１の付勢部材と、前記第２のプレートに取り付けるよう構成され、さらに前記第２のフレームの前記周辺部に前記第２のプレートを付勢するよう前記第２のフレームに取り付けるよう構成される第２の付勢部材とをさらに備える、請求項１に記載のプリンタ。
【請求項８】
前記第１のフレームおよび前記第２のフレームのそれぞれは、前記フレームと、前記フレームの前記周辺部に平行方向に前記フレームから前記プレートを離すよう促すために前記フレームの前記周辺部内に位置づけられる前記プレートの部分との間に位置づけられる付勢部材と、前記付勢部材と反対方向に前記プレートの前記部分に作用するが、前記フレームの前記周辺部に依然として平行であり、前記プレートが位置づけられる前記フレームの前記周辺部に平行な面内で前記プレートが移動することを可能にするよう構成されるアクチュエータとをさらに備える、請求項７に記載のプリンタ。
【請求項９】
各フレームは、旋回部の周りを回転し、前記フレームの前記周辺部内に位置づけられる前記プレートの部分を係合するよう位置づけられる旋回部材と、前記旋回部材に作用して、回転力を、前記旋回部材および前記フレームの前記周辺部内の前記プレートの前記部分に印加して、前記プレートが位置づけられる前記フレームの前記周辺部に平行な面内の前記プレートを回転するよう構成されるアクチュエータとをさらに備える、請求項７に記載のプリンタ。
【請求項１０】
前記第１のフレームから、前記第２のフレームから伸びるフランジの前記ペア内の一方のフランジに伸びる前記第３のフランジの間に動作可能に接続されるリンクをさらに備え、前記第２のフレームから伸びるフランジの前記ペア内の前記一方のフランジが、前記第１のフレームから伸びる前記第３のフランジから最も離れた前記一方のフランジである、請求項７に記載のプリンタ。
【請求項１１】
プリント・バー・アセンブリであって、前記プリント・バー・アセンブリは、
３つの直線配置された差し込み口を有する第１の部材と、
前記直線配置された差し込み口の内の２つの間で、前記第１の部材に取り付けられた第１のアクチュエータと、前記直線配置された差し込み口の内の２つの間で、前記第１の部材に取り付けられた第２のアクチュエータとを含み、前記第１のアクチュエータと前記第２のアクチュエータは、同じ２つの直線配置された差し込み口の間には取り付けられず、
前記プリント・バー・アセンブリはさらに、
３つの直線配置された差し込み口を有する第２の部材と、
第１のロッド、第２のロッド、および第３のロッドとを備え、各ロッドは、第１の端および第２の端を有し、各ロッドの前記第１の端は、１対１に対応する前記第１の部材内の前記差し込み口の１つの中に取り外し可能に位置づけられ、各ロッドの前記第２の端は、１対１に対応する前記第２の部材内の前記差し込み口の１つの中に取り外し可能に位置づけられ、前記第１、前記第２、および前記第３のロッドが、前記第１の部材から前記第２の部材に互いに平行に伸びることを可能にし、
前記プリント・バー・アセンブリはさらに、第１のフレームを備え、前記第１のフレームは、周辺部、前記第１のフレームの第１の側部から伸びるフランジのペア、および前記第１のフレームの第２の側部から伸びる第３のフランジを有し、前記第１のフレームの前記第２の側部は、前記第１のフレームの前記第１の側部と反対側であり、各フランジは、前記フランジ内に穴を有する前記第１のフレームから伸び、前記第１のロッドは、前記第１のフレームのフランジの前記ペア内の穴を通り、前記第２のロッドは、前記第１のフレームの前記第３のフランジ内の前記穴を通り、
前記プリント・バー・アセンブリはさらに、第２のフレームを備え、前記第２のフレームは、周辺部、前記第２のフレームの第１の側部から伸びるフランジのペア、および前記第２のフレームの第２の側部から伸びる第３のフランジを有し、前記第２のフレームの前記第２の側部は、前記第２のフレームの前記第１の側部と反対側であり、各フランジは、前記フランジ内に穴を有する前記第２のフレームから伸び、前記第３のロッドは、前記第２のフレームの前記第３のフランジ内の前記穴を通り、前記第２のロッドは、前記第２のフレームのフランジの前記ペア内の前記穴を通る、プリント・バー・アセンブリ。
【請求項１２】
前記第１のフレームから伸びる前記第３のフランジが、前記第２のフレームから伸びる前記フランジの前記ペア内の一方のフランジに隣接する、請求項１１に記載のプリント・バー・アセンブリ。
【請求項１３】
前記第１のフレームから伸びる前記第３のフランジは、前記第２のフレームから伸びるフランジの前記ペア内の各フランジから等距離である、請求項１１に記載のプリント・バー・アセンブリ。
【請求項１４】
前記第１のフレームおよび前記第２のフレームの各フランジ内の各穴内にスロット付きブッシングをさらに備える、請求項１１に記載のプリント・バー・アセンブリ。
【請求項１５】
プレートをさらに備え、前記プレートは前記プレート内に開口部を有し、前記開口部はプリントヘッドを受けるよう構成され、前記のプレートが、前記第１のフレームの前記周辺部内または前記第２のフレームの前記周辺部内に嵌るよう構成される、請求項１１に記載のプリント・バー・アセンブリ。
【請求項１６】
前記第１のプレートに取り付けるよう構成され、さらに前記プレートが位置づけられる前記第１のフレームまたは前記第２のフレームに取り付けるよう構成され、そのフレームの前記周辺部に前記プレートを付勢するよう構成される付勢部材とをさらに備える、請求項１１に記載のプリント・バー・アセンブリ。
【請求項１７】
前記各フレームのそれぞれは、前記フレームと、前記フレームの前記周辺部に平行方向に前記フレームから前記プレートを離すよう促すために前記フレーム内に位置づけられる前記プレートの部分との間に位置づけられる付勢部材と、前記付勢部材と反対方向に前記フレーム内に位置づけられる前記プレートの前記部分に作用するが、前記フレームの前記周辺部に依然として平行であり、前記プレートが位置づけられる前記フレームの前記周辺部内で前記プレートが移動することを可能にするよう構成されるアクチュエータとさらに備える、請求項１６に記載のプリント・バー・アセンブリ。
【請求項１８】
各フレームは、複数の鋼パッドをさらに備え、前記プレートは、前記プレートを通って伸びて、１対１に対応するプレートを位置づける前記フレームの前記複数の鋼パッドを係合する複数のネジ切り部材をさらに備え、ネジは、前記プレートが、前記プレートが配置される前記フレームの前記周辺部に対して水平になることを可能にする、請求項１６に記載のプリント・バー・アセンブリ。
【請求項１９】
各フレームは、旋回部の周りを回転し、前記フレームの前記周辺部内に位置づけられる前記プレートの部分を係合するよう位置づけられる旋回部材と、前記旋回部材に作用して、回転力を、前記旋回部材および前記フレーム内の前記プレートの前記部分に印加して、前記プレートが位置づけられる前記フレームの前記周辺部に平行な面内の前記プレートを回転するよう構成されるアクチュエータとをさらに備える、請求項１６に記載のプリント・バー・アセンブリ。
【請求項２０】
前記第１のフレームから、前記第２のフレームから伸びるフランジの前記ペア内の一方のフランジに伸びる前記第３のフランジの間に動作可能に接続されるリンクをさらに備え、前記第２のフレームから伸びるフランジの前記ペア内の前記一方のフランジが、前記第１のフレームから伸びる前記第３のフランジから最も離れた前記一方のフランジである、請求項１６に記載のプリント・バー・アセンブリ。